(57)【要約】【課題】  スピーカの前方の空間を有効に利用して、効率よく発光演出を行うことができる遊技機を提供する。【解決手段】  遊技の進行に関連して音を出力可能なスピーカ８２と、遊技の進行に関連して発光可能な複数のＬＥＤを備える遊技機において、ＬＥＤがそれぞれ異なる面に設けられるＬＥＤ基板８７と、遊技機の前方側に設けられるセンターランプカバー８４ａと、スピーカ８２の前方に設けられ、スピーカ８２から出力される音を遊技機の前方側に導くためのガイド空間Ｋを形成するスピーカダクト８１と、を備え、複数のＬＥＤには、センターランプカバー８４ａに光を照射するＬＥＤ８７１と、スピーカダクト８１に光を照射するＬＥＤ８７２とが含まれ、ＬＥＤ基板８７には、表面８７ａにＬＥＤ８７１が設けられ、裏面８７ｂにＬＥＤ８７２が設けられる構成としてある。【選択図】      図１０
2018068360.tif 000002
【特許請求の範囲】
【請求項１】
遊技の進行に関連して音を出力可能な音出力手段と、遊技の進行に関連して発光可能な複数の発光手段を備える遊技機において、
前記発光手段がそれぞれ異なる面に設けられる基板と、
遊技機の前方側に設けられる装飾部材と、
前記音出力手段の前方に設けられ、当該音出力手段から出力される音を遊技機の前方側に導くためのガイド空間を形成するガイド部材と、
を備え、
前記複数の発光手段には、前記装飾部材に光を照射する第１発光手段と、前記ガイド部材に光を照射する第２発光手段と、が含まれ、
前記基板には、一方の面に前記第１発光手段が設けられ、他方の面に前記第２発光手段が設けられる
ことを特徴とする遊技機。
【請求項２】
前記ガイド部材の少なくとも一部は、前記第２発光手段からの照射により前記ガイド空間に光を導く透光性部材で構成される
ことを特徴とする請求項１に記載の遊技機。
【請求項３】
前記ガイド部材の少なくとも一部は、前記ガイド空間に対して所定角度傾いた傾斜部により構成され、
前記第２発光手段によって前記傾斜部が照射される
ことを特徴とする請求項１又は２に記載の遊技機。
【請求項４】
前記第２発光手段は複数からなり、それぞれ前記傾斜部のうち異なる部位に光を照射する
ことを特徴とする請求項３に記載の遊技機。
【請求項５】
前記基板は、前記ガイド部材の近傍に設けられ、
前記第２発光手段は、サイドビュー型のＬＥＤで構成され、前記ガイド部材を側方から照射する
ことを特徴とする請求項１〜４のいずれか一項に記載の遊技機。
【請求項６】
遊技機の所定部を覆うように配置される第１部材と、
前記第１部材を、締結部材を用いて所定の取付面に取り付け可能な第２部材と、備え、
前記第２部材は、
前記第１部材を前記取付面に取り付ける際に締結部材の座面が当接する第１の座面当接部と、前記取付面と傾斜角度が異なる他の取付面に前記第１部材を取り付ける際に締結部材の座面が当接する第２の座面当接部とを有しており、
前記第１の座面当接部と前記第２の座面当接部の傾斜角度が異なる
ことを特徴とする請求項１〜５のいずれか一項に記載の遊技機。
【発明の詳細な説明】
【技術分野】
【０００１】
本発明は、所定の演出を行う演出ユニットを備える遊技機に関する。
【背景技術】
【０００２】
一般に、パチンコ機やスロットマシンなどの遊技機は、遊技に関連する演出を行う演出装置を備えており、演出装置は、遊技の進行に関連して発光する電球・ＬＥＤ等の発光手段のほか、遊技の進行に関連して音を出力するスピーカなどの音出力手段を用いた演出を実行する。
例えば、特許文献１には、前面側に凹室を有するコーン型のスピーカにおいて、凹室に発光手段を設けた遊技機が開示されている。
この遊技機によれば、スピーカの前面側に発光手段（ＬＥＤ）を配置することで、直接光によるインパクトのある演出を行うことができるようになっている。
【先行技術文献】
【特許文献】
【０００３】
【特許文献１】特開２００９−２３９８５１号公報
【発明の概要】
【発明が解決しようとする課題】
【０００４】
ところが、このような従来の遊技機には、改善の余地があった。
【課題を解決するための手段】
【０００５】
上記課題を解決するため、本発明の遊技機は、遊技の進行に関連して音を出力可能な音出力手段と、遊技の進行に関連して発光可能な複数の発光手段を備える遊技機において、発光手段がそれぞれ異なる面に設けられる基板と、遊技機の前方側に設けられる装飾部材と、音出力手段の前方に設けられ、音出力手段から出力される音を遊技機の前方側に導くためのガイド空間を形成するガイド部材と、を備え、複数の発光手段には、装飾部材に光を照射する第１発光手段と、ガイド部材に光を照射する第２発光手段と、が含まれ、基板には、一方の面に第１発光手段が設けられ、他方の面に第２発光手段が設けられる構成としてある。
【図面の簡単な説明】
【０００６】
【図１】遊技機の外観を示す概略正面図である。
【図２】遊技機の外観を示す概略斜視図である。
【図３】遊技機の内部構成を示す概略斜視図である。
【図４】遊技機の制御構成を示すブロック図である。
【図５】上部演出ユニットの要部分解図である。
【図６】ＬＥＤ基板を示す図であり、（ａ）は表面図、（ｂ）は裏面図である。
【図７】スピーカユニットの要部分解図である。
【図８】スピーカユニットを示す図であり、（ａ）は平面図、（ｂ）は正面図、（ｃ）は底面図、（ｄ）は右側面図、（ｅ）は左側面図である。
【図９】（ａ）は上部演出ユニットの正面図、（ｂ）は（ａ）のＡ−Ａ断面図、（ｃ）は（ａ）のＢ−Ｂ断面図である。
【図１０】（ａ）は上部演出ユニットの斜視図、（ｂ）は（ａ）のＣ−Ｃ断面図であり、ガイド空間において発光態様が視認される仕組みを示すイメージ図である。
【図１１】下パネルユニットの要部分解図である。
【図１２】照明光拡散カバーの取り付け構造を示す要部断面図であり、（ａ）は取り付け前の状態、（ｂ）は取り付け後の状態を示す図である。
【図１３】取付用部材の取り付け構造を示す要部拡大断面図であり、（ａ）はネジが螺入される前の状態、（ｂ）はネジが螺入された状態、（ｃ）は（ａ）と異なる取付面に取り付ける場合のネジが螺入される前の状態、（ｄ）は（ａ）と異なる取付面に取り付ける場合のネジが螺入された状態を示す図である。
【発明を実施するための形態】
【０００７】
本発明に係る遊技機の好ましい実施形態について、図１〜図１３を参照して説明する。
【０００８】
スロットマシン１は、遊技機の一例であり、従来のスロットマシンと同様に、スロットマシン１に備えられた複数のリール４１ａ，４１ｂ，４１ｃを回転させることによって遊技媒体であるメダルを獲得することができる回胴式遊技機を構成している。
【０００９】
具体的には、スロットマシン１は、図１〜図３に示すように、スロットマシン１の本体にあたる筐体１ｂを備えるとともに、筐体１ｂの前側を覆う扉体として前扉１ａを備えている。
前扉１ａは、スロットマシン１の筐体１ｂにヒンジ等を介して開閉可能に取り付けられている（図３等参照）。
前扉１ａは、前側に、遊技者に操作される複数の操作部が設けられている。
例えば、機内にメダルを投入するためのメダル投入口２が設けられ、所定数（例えば、３枚）のメダルがメダル投入口２から投入されることで、メダル投入口２と連通するメダルセレクタ２ｂによってメダルが検出され、ゲーム開始可能な状態となる。
【００１０】
また、押下操作可能なベットボタン２ａ（例えば、マックスベットボタン）が設けられ、操作に応じて内部的に記憶したクレジットメダルからデータ形式のメダルをゲームに投入することもできる。
【００１１】
また、リール４１ａ，４１ｂ，４１ｃの回転を始動させるスタートレバー３が設けられ、ゲーム開始可能な状態において遊技者により操作されることで、スロットマシン遊技が開始され、リール４１ａ，４１ｂ，４１ｃが回転を開始する。
【００１２】
また、各リール４１に対応して停止ボタン５ａ，５ｂ，５ｃが設けられ、遊技者により各停止ボタン５が押下操作されることで、回転している各リール４１を停止させることができる。
また、前扉１ａには、操作部の他にも様々な装置が設けられ、例えば、停止状態にある各リール４１に表された縦方向に連続する３つの図柄が視認可能な表示窓６、メダルが払い出されるメダル払出口７ｂなども設けられている。
【００１３】
また、前扉１ａには、所定の演出を実行可能な演出装置として、上部演出ユニット８と下パネルユニット９が設けられている。
上部演出ユニット８や下パネルユニット９は、発光手段（例えばＬＥＤ）や音出力手段（例えばスピーカ）を備えており、同じく前扉１ａに設けられた副制御部２０による制御によって、スロットマシン遊技に同期した発光演出や音出力演出を実行することができる。
【００１４】
筐体１ｂは、筐体構造を有し、スロットマシン遊技に必要な様々な機械、装置、遊技部品等が収納されている。
例えば、リール４１ａ，４１ｂ，４１ｃ、各リール４１を回転させる図示しないステッピングモータ及び回転位置を検出するセンサ等を備えるドラムユニット４が設けられている。
また、メダルの貯留・払い出し行うメダル払出装置７が設けられ、払い出されたメダルはメダル払出口７ｂを介して遊技者に提供される。
また、メダル払出装置７には、メダルを貯留するホッパー７ａが設けられ、メダル投入口２より投入されたメダルがメダルセレクタ２ｂを介してホッパー７ａに誘導される。
【００１５】
また、筐体１ｂには、スタートレバー３、停止ボタン５等の操作部からの操作信号に基づいて、ドラムユニット４、メダル払出装置７等の各装置を制御することでスロットマシン遊技を実行可能な主制御部１０が設けられている（図３等参照）。
主制御部１０は、種々の電子部品が実装された基板（主基板１０ａ）からなり、筐体１ｂ内の上部に取り付けられている。
主制御部１０は、ＣＰＵなどを備えるコンピュータとして構成され、例えば、ゲーム開始可能な状態において、スタートレバー３に対する操作を検知すると、各リール４１の回転を開始させる。
また、これと同時に、再遊技役、小役、ボーナス等の当選役を抽選により決定する内部抽選処理を実行し、各リール４１の回転中において、各停止ボタン５に対する押下操作を検知すると、抽選結果に対応した図柄の組合せで停止するよう、回転している各リール４１の停止制御を行う。
また、主制御部１０は、停止した各リール４１に表された縦方向に連続する３つの図柄の組合せを判定し、小役に対応する図柄の組合せでの停止を判定したときには、所定数のメダルを払い出すようにメダル払出装置７を制御する。
【００１６】
また、筐体１ｂには、スロットマシン遊技に同期した演出を実行可能な副制御部２０が設けられている。
副制御部２０は、種々の電子部品が実装されたプリント基板（副基板２０ａ）からなり、これを外部から視認可能な透明の樹脂ケースに収めた状態で、前扉１ａの背面に着脱可能に取り付けられる。
また、副制御部２０は、コンピュータとして構成され、主制御部１０から送信される制御コマンドに基づいて上部演出ユニット８、下パネルユニット９などの演出装置を制御して、所定の演出を行わせる。例えば、副制御部２０は、主制御部１０からボーナス遊技開始を示す制御コマンドを受信すると、上部演出ユニット８や下パネルユニット９等に発光や音出力を行わせる。
【００１７】
スロットマシン１は、このような一般的なスロットマシンの構成に加え、さらに以下に示す特徴的な構成を備えている。
【００１８】
［上部演出ユニット］
上部演出ユニット８は、前扉１ａにおける最上部の位置に着脱可能に設けられた演出装置であり、副制御部２０による制御に基づき、遊技状況に応じた発光演出や音出力演出を実行する。
上部演出ユニット８は、前部中央部がやや凸状に湾曲した形状に形成されており、前扉１ａに対して前側にせり出す態様で設けられている。
【００１９】
上部演出ユニット８は、ランプユニットＬＵ、ＬＥＤ基板８７、ＬＥＤ基板８８、遮蔽部材９０、スピーカユニットＳＵ、これらの部材が取り付けられるベース部材８９等によって構成されている（図５参照）。
【００２０】
ランプユニットＬＵは、複数の部材から構成され、ランプカバー８４（センターランプカバー８４ａ、サイドランプカバー８４ｂ）、スピーカ開口部８５、飾り部材８６等によって構成されている。
【００２１】
ランプカバー８４は、遊技機の前方側に設けられる装飾部材であり、透光性（無色又は有色の透明又は半透明）を有する樹脂部材である。例えば、センターランプカバー８４ａは半透明で赤色の透光性部材であり、サイドランプカバー８４ｂは半透明で無色の透光性部材である。
センターランプカバー８４ａは、後述するＬＥＤ基板８７の表面８７ａに実装されたＬＥＤ８７１によって照射され、サイドランプカバー８４ｂは、ＬＥＤ基板８８の表面８８ａに実装されたＬＥＤ８８１によって照射され、照射された光をスロットマシン１の前方側に向けて透過する。
【００２２】
また、ランプカバー８４は、遊技中の遊技者に面する部材正面部と、この部材正面部から後方に向かって延出する部材側面部からなり、ランプカバー８４の内部に導光空間を形成しており、ランプカバー８４の裏面（内面）には、光を拡散させるために、例えば、水平方向に延びる横線模様をなす凹凸構造や円形模様をなす凹凸構造が形成されている。このような凹凸構造を設けることで、各ＬＥＤから発光された光が、凹凸部で屈折し拡散され、ランプカバー８４を均一に照射することができる。
【００２３】
ランプカバー８４の端辺には、後方に向かって突出形成された係止爪８４１、８４２が複数設けられている。係止爪８４１、８４２は、ベース部材８９の表面側上部に設けられた係止爪用孔８９１に押し込むように挿入することでランプユニットＬＵがベース部材８９に取り付けられる。
【００２４】
スピーカ開口部８５は、貫通孔が多数形成されており、スピーカ８２から出力された音をスロットマシン１の前面側及び側方側に伝播させるための開口である。
また、本実施形態におけるスピーカ開口部８５は、スロットマシン前方から見た場合に発光して見えるようになっている。
すなわち、スピーカ開口部８５は、音を伝播させる聴覚的な機能だけでなく、光による視覚的な機能も備えており、音と光を組み合わせた演出が可能となる。なお、スピーカ開口部８５の発光態様の詳細については後述する。
また、スピーカ開口部８５は、スモークのかかった透光性部材であり、後方から照射され出射された光をスロットマシン１の前面側及び側方側へ透過し易くなっている。
【００２５】
ベース部材８９は、非透光性の樹脂部材であり、表面にメッキ加工（例えばクロームメッキ）が施されており、光を反射可能に構成されている。
ベース部材８９の表面側にはランプユニットＬＵが取り付けられ、裏面側にはＬＥＤ基板８７とＬＥＤ基板８８が取り付けられ、さらにその後方からスピーカユニットＳＵが取り付けられる（図５参照）。
また、ベース部材８９の裏面側の端辺には、後方に向かって突出形成された係止爪８９２が複数設けられており、この係止爪８９２が前扉１ａの所定箇所に係止することでベース部材８９が前扉１ａに取り付けられる。
【００２６】
ＬＥＤ基板８７、８８には、複数のＬＥＤ（発光手段）が実装されている。
本実施形態のＬＥＤ基板８７は、図６に示すように、ＬＥＤを両面に実装している。
具体的には、表面８７ａには、センターランプカバー８４ａの形状に応じた箇所に複数のＬＥＤ８７１が実装されており、スロットマシン１の前面側へ向けて光を出射し、センターランプカバー８４ａを照射可能に構成されている。
一方、裏面８７ｂには、実装面に対して平行に光を出射可能なＬＥＤ８７２（サイドビュー型のＬＥＤ）が実装されており、後述するスピーカダクト８１の傾斜部８１１を照射可能に構成されている。
ＬＥＤ基板８８の表面８８ａには、複数のＬＥＤ８８１が実装されており、サイドランプカバー８４ｂを照射可能に構成されている。
これらのＬＥＤ８７１、８７２、８８１は、例えば、フルカラーＬＥＤであり、副制御部２０によりそれぞれが独立して発光制御され、遊技の進行に応じて、例えば、左右方向に沿った移動点灯や点灯色を個々に変更することができる。
また、ＬＥＤの種類は、これに限るものではなく、例えば、砲弾型のＬＥＤや単色に発光するＬＥＤ等を用いてもよい。
【００２７】
遮蔽部材９０は、ＬＥＤ基板８７の裏面８７ｂ及び底面の一部を覆うように、設けられており、光の吸収率の高い黒色の樹脂により構成されている。
遮蔽部材９０は、所望しない領域にＬＥＤからの光が入射されることの防止や、光漏れを防止する。例えば、ＬＥＤ８７１から出射される光が、近傍に配置されるスピーカダクト８１（傾斜部８１１や上面部８１２）側に入射することを防止する機能を有している。
【００２８】
［スピーカユニット］
スピーカユニットＳＵは、図７に示すように、スピーカダクト８１、スピーカ８２、スピーカカバー８３等から構成されている。
なお、構成がほぼ同一な左右一対のスピーカユニットＳＵを備えており、以下の説明では、一方のスピーカユニットＳＵのみを説明する。
【００２９】
スピーカダクト８１は、本発明に係るガイド部材の一例であって、スピーカ８２の前方に位置し、スピーカ８２から出力された音をスロットマシン１の前方側に導く導音機能を有する。
具体的には、スピーカ８２の発音部と開口８１４とを連通させる音響通路が形成されており、音響通路の一部には、傾斜部８１１、上面部８１２、底面部８１３によってガイド空間Ｋが形成されている（図７、８参照）。
【００３０】
傾斜部８１１は、ガイド空間Ｋに対して所定角度傾いた傾斜面であり、透明部材（透光性部材）によって形成されている。
なお、傾斜部８１１は、傾斜角度が一定である必要はなく、傾斜角度が途中で変化するように形成してもよい。例えば、複数段階に傾斜するように形成してもよく、また、曲面に形成してもよい。
上面部８１２は、傾斜部８１１と連通する横長矩形状の面であり、透明部材（透光性部材）によって構成されている。
底面部８１３は、上面部８１２よりやや大きい横長矩形状の面であり、メッキ加工が施されており、光を反射可能に構成されている
なお、底面部８１３は、メッキ加工処理に限らず、光を効果的に反射し得る表面をもつ素材（例えば、白色や銀色の着色塗料、鏡面のシート材）によって形成してもよい。
開口８１４は、スピーカ開口部８５が配置される位置に対応して形成されており、スピーカ８２から出力された音をスロットマシン１の前面側及び側方側に向けて伝播させる。
【００３１】
このような構成により、スピーカ８２から出力された音を、ガイド空間Ｋ（音響通路）を介して開口８１４からスロットマシン１の前面側及び側方側へ伝播させることができる。
また、スピーカユニットＳＵには、ネジ孔８１５が複数形成されており、スピーカユニットＳＵの裏面側からネジ固定することでベース部材８９に取り付けられる。
【００３２】
スピーカ８２は、コーンなどを振動させて音を出力させる音出力手段であり、スピーカカバー８３は、スピーカ８２を収容可能な透明の樹脂部材からなる部材である。
スピーカカバー８３は、スピーカ８２を収容した状態でスピーカ８２とともに、ネジ孔８３１を介してスピーカダクト８１の後方に取り付けられる。
このため、スピーカ８２の内部に異物が侵入された（コーンが突き破られるなど）場合でも、スピーカカバー８３が障壁となって機内への侵入を防ぐことができる。
【００３３】
このように構成される上部演出ユニット８において、スピーカ開口部８５が、遊技の進行に応じて又はスロットマシン１の状態（異常時など）に応じて発光して見えるようになっている。
以下、スピーカ開口部８５を発光させるための構成及び発光態様について、図９及び図１０を参照して説明する。
【００３４】
図９（ｂ）及び図９（ｃ）に示すように、ＬＥＤ基板８７は、スピーカダクト８１の近傍に配置されており、具体的には、スピーカダクト８１の傾斜部８１１の側方に位置している。また、ＬＥＤ基板８７に設けられる各ＬＥＤ８７２の出射部が傾斜部８１１を向くように配置されている。
つまり、複数のＬＥＤ８７２がスピーカダクト８１の傾斜部８１１に沿った位置に配置されており、ＬＥＤ８７２それぞれが傾斜部８１１の異なる部位に側方から光を照射する構成となっている。
【００３５】
このような構成により、ＬＥＤ基板８７のＬＥＤ８７２から出射された光は、次のように伝播する。
例えば、図１０（ｂ）に示す矢印のように、各ＬＥＤ８７２からそれぞれ出射された光は、傾斜部８１１の異なる部位に照射され、傾斜部８１１をそのまま透過してガイド空間Ｋ内に入射する。
ガイド空間Ｋに入射した光は、底面部８１３に向けて直進する。底面部８１３に到達すると、光は反射面として機能する底面部８１３によって上方に向けて反射される。例えば、上面部８１２に向かった光は、上面部８１２に到達すると下方に向けて反射される。
ここで、上面部８１２の上面側には、メッキ加工が施されたベース部材８９の底面が重なるように配置されている（図１０（ｂ）参照）。そのため、上面部８１２は透光性部材であるものの、上面部８１２の上面側に重ねて配置されるベース部材８９の底面によって上面部８１２に到達した光は下方（底面部８１３）に向けて反射されることになる。
また、傾斜部８１１の上面側の一部（ＬＥＤ８７２の出射領域以外の部分）にも、ベース部材８９の底面が重なるように配置されており、傾斜部８１１に到達した光の一部は下方（底面部８１３）に向けて反射される。
【００３６】
なお、傾斜部８１１、上面部８１２、底面部８１３に凹凸模様を形成することで光を乱反射させて光を拡散させてもよい。また、光を拡散しやすくなるように、例えば、白色顔料等の拡散部材を含有させる方法や光を拡散させる光拡散シートを内面に重ねる方法などを用いてもよい。
また、上面部８１２にメッキ加工を施すことで、光を反射可能な構成としてもよい。
【００３７】
このように、ガイド空間Ｋに入射した光は、上面部８１２と底面部８１３との間で反射を繰り返して、ガイド空間Ｋ内を伝播する。その結果、ガイド空間Ｋ全体が照らし出されることになる。
このように、スピーカダクト８１は、音を導く導音部として機能するとともに、ガイド空間Ｋにおいて光を発光する発光部としても機能する。
【００３８】
このようにスピーカダクト８１のガイド空間Ｋが照らされることで、遊技者がスピーカ開口部８５を見た場合、スピーカ開口部８５が発光して見えることになる。つまり、ガイド空間Ｋが照らされていることによって、スピーカ開口部８５も後方から照らされて発光しているように見える。
そのため、遊技者に対し、視覚的に優れた効果を与えることができ、遊技をより楽しませることができる。
【００３９】
［下パネルユニット］
次に、下パネルユニット９について図１１〜図１３を参照して説明する。
図１１に示すように、下パネルユニット９は、複数のＬＥＤ９７１を有するＬＥＤ基板９７と、ＬＥＤ基板９７の正面側を覆うように配置されＬＥＤ９７１からの照射光を拡散する照明光拡散カバー９５と、後側パネル９４と、所定の絵柄や文字が印刷等により施された印刷シート９３と、前側パネル９２と、これらを一体にして前扉１ａに取付けるための下パネル枠９１等を備える。
【００４０】
ＬＥＤ基板９７は、出射部をスロットマシン１の正面側に向けた状態で取付板９８に取り付けられる。具体的には、長尺のＬＥＤ基板９７上に直線状に複数のＬＥＤ９７１を並べ、これを複数列設ける。
なお、２つのＬＥＤ基板９７を取付板９８に取り付けるようにしているが、ＬＥＤ基板９７は、２つに限らず、１つ、又は、３つ以上でもよい。また、複数のＬＥＤ９７１をチューブに入れるなどして製作された棒状の光源を、上記配列に沿って取り付ける態様であってもよい。
【００４１】
前側パネル９２と後側パネル９４は、透明又は半透明の樹脂からなり、重ね合わさることで印刷シート９３を挟持する。
また、前側パネル９２と後側パネル９４は、相似の凹形状であり、前側パネル９２の裏面凹部に後側パネル９４の正面凸部を重ねることで、前側パネル９２と後側パネル９４とが一体化される。
【００４２】
下パネル枠９１は、前側パネル９２の周縁に取り付けられる枠体である。
前側パネル９２と後側パネル９４を一体化した状態で、下パネル枠９１を、前側パネル９２の周縁に嵌め、後側パネル９４側からビス止めすることで前側パネル９２と、後側パネル９４と、下パネル枠９１が一体化される。
この状態で、下パネル枠９１の図示しない突出片と、後側パネル９４の係止爪９４２を、取付板９８に設けられた図示しない係止孔に係止させつつ、前扉１ａの裏側から後側パネル９４の固定ボス９４１にビス止めすることで、下パネルユニット９が前扉１ａの下部に固定される。
【００４３】
［照明光拡散カバー］
照明光拡散カバー９５は、本発明に係る第１部材の一例であって、光を拡散させるための拡散部材であり、これを、ＬＥＤ９７１の前方に配置することで、前側パネル９２と後側パネル９４が照明光拡散カバー９５を介して均一の明るさで照射される。
照明光拡散カバー９５は、凹形状を有しており、凹部を光源側に向けて配置するようにしている。このため、照明光拡散カバー９５から照射される光は、その形状に基づき広範に射出されるようになっている。
照明光拡散カバー９５は、例えば、ＡＢＳやポリカーボネイトなどの樹脂に、所定の無機系粒子や有機系微粒子の拡散剤を配合し、これを一定の肉厚に成形した乳白色半透明の樹脂板を用いる。
【００４４】
照明光拡散カバー９５の上辺には、照明光拡散カバー９５を取付板９８に対して取り付け可能な取付用部材９６が左右一対に設けられている。
照明光拡散カバー９５を取付板９８に取り付ける場合には、照明光拡散カバー９５の裏面（凹面）を取付板９８側に向けて、取付用部材９６を取付板９８に設けられる取付孔９９に合わせて締結部材（以下、ネジ）により固定することで、取付板９８に取り付けられるようになっている（図１２参照）。なお、照明光拡散カバーの取り付け構造については後述する。
【００４５】
［取付用部材］
取付用部材９６は、本発明に係る第２部材の一例であって、照明光拡散カバー９５を取付板９８にネジ固定によって取り付け可能な部材である。
図１３（ａ）等に示すように、取付用部材９６には、径の大きさが異なる第１挿通孔９６１と第２挿通孔９６２が二段で構成されており、第２挿通孔９６２は第１挿通孔９６１よりも大きな径で形成されている。
また、取付用部材９６の内面には、周方向に沿って環状の第１座面当接部９６３が形成されており、取付用部材９６の外表面には、周方向に沿って環状の第２座面当接部９６４が形成されている。
【００４６】
第１座面当接部９６３と第２座面当接部９６４は、所定のネジが取付孔９９に螺入された際に、このネジの座面が当接するようになっている。
また、第１座面当接部９６３を含む面と、第２座面当接部９６４を含む面の傾斜角度が異なるように形成されている（図１３（ａ）参照）。つまり、第１座面当接部９６３に当接して固定されるネジと第２座面当接部９６４に当接して固定されるネジは、この傾きに応じた方向（軸線方向）に取り付けられる。
このように構成される第１座面当接部９６３と第２座面当接部９６４を取付用部材９６に備えるのは、以下の理由による。
【００４７】
例えば、部品の汎用化を図るために、同一の部品を異なる機種のスロットマシンでも使用したい場合がある。しかしながら、機種によって部品を取り付ける取付面の傾斜角度が異なることで、同一の部品を異なる機種のスロットマシンに取り付けることができない場合がある。
そこで、本実施形態では、傾斜角度が異なる取付面であっても、同一の部品（照明光拡散カバー９５）を取り付け可能とするために、取付用部材９６に傾斜角度の異なる第１座面当接部９６３と第２座面当接部９６４を設けている。
【００４８】
[照明光拡散カバーの取り付け構造]
次に、取付用部材９６を用いた照明光拡散カバー９５の取り付け構造について説明する。
以下の説明では、スロットマシン１の取付板９８（取付孔９９）と、スロットマシン１と異なる機種のスロットマシンの取付板９８０（取付孔９９０）に対して同一の照明光拡散カバー９５を取り付ける場合を例に挙げて説明する。
また、取付孔９９は、取付孔９９の軸線がほぼ水平に設けられているものとし、一方、取付孔９９０は、取付孔９９０の軸線が所定角度傾いて設けられているものとする（図１３参照）。つまり、照明光拡散カバー９５（取付用部材９６）を取り付ける対象（取付面）の傾きが異なる例で説明する。
また、取付板９８の取付孔９９に螺着するネジＮ１として「トラスネジ」を採用し、取付板９８０の取付孔９９０に螺着するネジＮ２として「バインドネジ」を採用した例で説明する（図１２、１３参照）。
【００４９】
照明光拡散カバー９５を取付板９８に取り付ける場合には、取付用部材９６を取付板９８に設けられる取付孔９９に合わせた状態で、ネジＮ１を取付孔９９に螺着する。
そして、ネジＮ１が取付孔９９に螺着されると、ネジＮ１の座面が第２座面当接部９６４に当接する（図１３（ｂ）参照）。
【００５０】
一方、照明光拡散カバー９５を取付板９８０に取り付ける場合には、取付用部材９６を取付板９８０に設けられる取付孔９９０に合わせた状態で、ネジＮ２を取付孔９９０に螺着する。
そして、ネジＮ２が取付孔９９０に螺着されると、ネジＮ２の座面が第１座面当接部９６３に当接する（図１３（ｄ）参照）。
【００５１】
ここで、ネジＮ１（トラスネジ）とネジＮ２（バインドネジ）はネジ頭部の大きさが異なるものであり、具体的には、ネジＮ２のネジ頭部の外径はネジＮ１のネジ頭部の外径よりも大きく形成されている。
そのため、第１座面当接部９６３にネジの座面を当接させてネジ固定する場合には、第２挿通孔９６２の内径よりもネジ頭部の外径が小さく、かつ、第１挿通孔９６２の内径よりもネジ頭部の外径が大きい、ネジＮ１を用いることが好ましい。
一方、第２座面当接部９６４にネジの座面を当接させてネジ固定する場合には、第２挿通孔９６２の内径よりもネジ頭部の外径が大きい、ネジＮ２を用いることが好ましい。
【００５２】
このように、取付用部材９６を取り付ける取付孔（取付面）の傾きに応じて、第１の座面当接部９６３又は第２の座面当接部９６４に対して当接可能なネジを螺着することで、傾きの異なる他の取付面においても同一の照明光拡散カバー９５（取付用部材９６）を取り付けることができる。
すなわち、取付用部材９６に対して外形（ネジ頭部の径）の異なるネジと該ネジを取付可能な箇所（第１の座面当接部９６３又は第２の座面当接部９６４）を変えることで、傾きの異なる他の取付面に対しても同一の照明光拡散カバー９５を取り付けることができる。
【００５３】
以上説明したように、本実施形態のスロットマシン１は、ランプユニットＬＵ、スピーカユニットＳＵなどを有する上部演出ユニット８を備えるとともに、複数のＬＥＤがそれぞれ異なる面に設けられるＬＥＤ基板８７と、スピーカ８２の前方に設けられ、スピーカ８２から出力される音をスロットマシン１の前方側に導くためのガイド空間Ｋを形成するスピーカダクト８１を備え、複数のＬＥＤには、スロットマシン１の前方側に設けられるセンターランプカバー８４ａに光を照射するＬＥＤ８７１と、スピーカダクト８１の傾斜部８１１に光を照射するＬＥＤ８７２が含まれ、ＬＥＤ基板８７は、表面８７ａにＬＥＤ８７１が実装され、裏面８７ｂにＬＥＤ８７２が実装されている。
このような構成により、ＬＥＤ８７２を点灯させると、スピーカダクト８１の傾斜部８１１に照射された光が傾斜部８１１を透過して、ガイド空間Ｋ内で多重反射し、ガイド空間Ｋ内全体を明輝することができる。これにより、ガイド空間Ｋ内が照らされることでスピーカ開口部８５が内側（後方）から照らされ、遊技者にはスピーカ開口部８５が発光して見えるようになっている。
【００５４】
また、サイドビュー型のＬＥＤ８７２から傾斜部８１１を照射した光が、スピーカ８２前方に形成されるガイド空間Ｋを発光させる構成としたので、スピーカ８２の前方にＬＥＤ基板を配置しなくとも、スピーカ８２の前面側（スピーカ開口部８５）を照らすことができる。
さらに、スピーカ８２の前方にＬＥＤ基板などの部品が配置されないので、音の出力範囲を確保することができ、スピーカ８２から出力される音が遮られることで音質が劣化したり、音量が低下することがない。
【００５５】
また、ＬＥＤから直接的に出射される直接光ではなく、ガイド空間Ｋ内を伝播する間接光によってスピーカ８２の前面側（スピーカ開口部８５）を照らすため、直接光によりＬＥＤが点状に発光して見え、粒状感が出てしまうことを防ぐことができる。
【００５６】
一方、従来の遊技機は、スピーカの前面側を照らすために、スピーカの前面側を覆うようにＬＥＤ基板などを配置するものがある。
しかしながら、このような遊技機は、スピーカの前面側にＬＥＤ基板を配置することで、スピーカから出力される音の伝播が基板面によって遮られて、音量や音質が低下することがあった。
また、スピーカの前面側にＬＥＤ基板を配置することで、ＬＥＤが遊技者に直接的に視認されるため、ＬＥＤが点状に発光して見え、粒状感が出てしまい、見栄えが低下することがあった。
さらに、この点発光を回避するために遊技機の後方側にＬＥＤ基板を配置しようとすると、スピーカも後方に配置することになるため、スピーカから出力される音の音量、音質が低下することがあった。
【００５７】
本発明の遊技機によれば、従来の遊技機が改善すべきこのような課題の全部又は一部を解決することができる。
【００５８】
また、本実施形態のスロットマシン１は、ランプカバー８４を照射するためのＬＥＤ８７１とスピーカ８２の前方（スピーカ開口部８５）を照射するためのＬＥＤ８７２を同一の基板に設けている。
具体的には、ＬＥＤ基板８７の表面８７ａにセンターランプカバー８４ａを照射するための複数のＬＥＤ８７１が設けられ、ＬＥＤ基板８７の裏面８７ｂにスピーカ開口部８５を照射するための複数のＬＥＤ８７２が設けられている。
このような構成により、一枚の基板でランプカバー８４とスピーカ８２の前方の両方を発光させることができるため、スピーカ８２の前方（スピーカ開口部８５）を照射するための専用のＬＥＤ基板を別途設ける必要がなく、機内の限られたスペースを有効に活用することができ、製造コストも抑えることができる。
【００５９】
また、ＬＥＤ基板８７の表面８７ａに設けられたＬＥＤ８７１はスロットマシン１の前方側に向かって光を出射し、一方、裏面８７ｂに設けられたＬＥＤ８７２はスロットマシン１の側方側に向かって光を出射する。
この構成により、例えば、センターランプカバー８４ａとスピーカ開口部８５のように照射する対象が隣接するような場合でも、センターランプカバー８４ａを発光させるためにＬＥＤ８７１から出射される光と、スピーカ開口部８５を発光させるためにＬＥＤ８７２から出射される光が互いに干渉することがない。
そのため、視認性を確保することができるとともに、専用のＬＥＤ基板を別途設ける必要がなく、製造コストも抑えることができる。
【００６０】
また、本実施形態のスロットマシン１は、取付用部材９６を備えることで、同一の照明光拡散カバー９５を異なる機種のスロットマシンでも兼用することができ、部品の汎用化を図ることができる。
また、下パネルユニット８のコスト性や生産性の面においても向上させることができる。
【００６１】
以上、本発明の遊技機の好ましい実施形態について説明したが、本発明に係る遊技機は上述した実施形態にのみ限定されるものではなく、本発明の範囲で種々の変更実施が可能であることはいうまでもない。
例えば、上述したスピーカ前方照明に関する実施形態においては、上部演出ユニット８を例にあげて説明したが、他の装置（例えば、スピーカを備える下皿ユニットなど）においても適用することができ、この場合も同様の作用効果を奏することができる。
【００６２】
また、上述した照明光拡散カバーの取り付けに関する実施形態においては、下パネルユニット８の照明光拡散カバー９５を例にあげて説明したが、これに限らず、スロットマシン１の前面側に取り付けられる装置（例えば、中パネルユニット、上パネルユニット、配当表ユニット）が備えるカバー部材に適用することができる。また、スロットマシン１の前面側に取り付けられる装置に限らず、スロットマシン１に設けられる種々のカバー部材に適用することができる。この場合も同様の作用効果を奏することができる。
【００６３】
また、上述した照明光拡散カバーの取り付けに関する実施形態においては、取付用部材９６を照明光拡散カバー９５と一体として設けた場合で説明したが、これに限らず、別部材としてもよい。
【００６４】
また、本実施形態では、本発明をスロットマシンに適用したがパチンコ（例えば、玉スロ）などその他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
【符号の説明】
【００６５】
１      スロットマシン
１ａ    前扉
８      上部演出ユニット
ＳＵ    スピーカユニット
８１    スピーカダクト
８１１  傾斜部
８１２  上面部
８１３  底面部
８１４  開口
Ｋ      ガイド空間
８２    スピーカ
ＬＵ    ランプユニット
８４ａ  センターランプカバー
８４ｂ  サイドランプカバー
８５    スピーカ開口部
８７    ＬＥＤ基板
８７１  ＬＥＤ
８７２  ＬＥＤ
９      下パネルユニット
９５    照明光拡散カバー
９６    取付用部材
９６１  第１挿通孔
９６２  第２挿通孔
９６３  第１座面当接部
９６４  第２座面当接部
９８    取付板
９９    取付孔
Ｎ１    ネジ（トラスネジ）
Ｎ２    ネジ（バインドネジ）
【図１】
2018068360.tif 000003
【図２】
2018068360.tif 000004
【図３】
2018068360.tif 000005
【図４】
2018068360.tif 000006
【図５】
2018068360.tif 000007
【図６】
2018068360.tif 000008
【図７】
2018068360.tif 000009
【図８】
2018068360.tif 000010
【図９】
2018068360.tif 000011
【図１０】
2018068360.tif 000012
【図１１】
2018068360.tif 000013
【図１２】
2018068360.tif 000014
【図１３】
2018068360.tif 000015